(57)【要約】【課題】鉄筋コンクリートの建物を造るにあたって、コンクリートのかぶり厚（Ｓ）の確保は建物の品位及び強度確保に大変重要である、しかし現状は鉄筋を固定する為の確かな資材がなくコンクリートの表面に鉄筋が出たりすることが多々あった。【解決の手段】そこで、内側（１０）、外側（１０｀）の型枠を固定するための簡易セパレーター（２）を利用して解決することとした。まずセパレーターのかぶり厚寸法部分、（但し部位によりかぶり厚や鉄筋の太さが違うのでそれらに対応するため、（３０ｍ，４０ｍ，４５ｍ，）のような位置に凹型の溝をつけ）、その溝を起点として内側（壁の中心）に鉄筋を結束線（９）で結束し固定する事により、コンクリートのかぶり厚（Ｓ）を確保出来るようにした。しかも、幅止め筋（１４）スペーサー（１３）を使用しないので、コンクリート打設の際コンクリートの流動を阻害する物が少なくジヤンカ等ができにくい、又現場で六角ナット（３）を取り付ける作業は大変なので顎（５）を付け六角ナット（３）に変えた。  以上の様に上記課題を解決できる。【選択図】                図５
2004257212.tif 000002
【特許請求の範囲】
【請求項１】
簡易セパレーター（２）は、（以後セパレーター）セパレーター（１）のボルト部分を平にし被り厚寸法部を凹型（ａ，ｂ）に加工し、ネジ奥に顎を付けネジを５ｍｍほど削除したものである。この凹の部分を起点に結束線（９）にて鉄筋（７、８）を内側（中心側）に結束する事に依り、鉄筋の太さにかかわらず、被り厚寸法（Ｓ）が確保出来ると共に鉄筋を所定の位置に固定す事が出来る、又型枠を固定するため従来六角ナット（３）を現場でねじ込み使用していたが、ネジ奥に顎（５）を付ける事で六角ナットに変えた、さらにセパレーター（２）のネジ部（４）の一方の端に突起（６）を付ける事に依り外側型枠の取り付け作業を容易にした。以上のことを特徴とする、簡易セパレーター（２）による配筋構造。
【発明の詳細な説明】
【０００１】
【発明の属する技術分野】
この考案は、鉄筋コンクリート造り建物の建築施工において、鉄筋組み立て工事に関し、型枠セパレーター（簡易セパレーター）を利用してコンクリートのかぶり厚さ（Ｓ）を確保すると共に作業効率の向上を目的とした配筋構造に関するものである。
【０００２】
【従来の技術】
従来、鉄筋コンクリート造りの建物を作る場合、鉄筋のコンクリートかぶり厚さ（Ｓ）を確保する手段は、図６に示した通りの構成であった。即ち、立て筋（８、８）相互をコ字形状の幅止め筋（１４）を結束線（９）にて結束し、さらに１ｍ当たり１個の割合で使用するドーナツ型スペーサー（１３）を横筋（７）に取り付けることでかぶり厚（Ｓ）を確保していた。（ちなみに、幅止め筋（１４）スペーサー（１３）等はコンクリートのかぶり厚さを確保すため、その取り付けが義務づけられている）。
【０００３】
【発明が解決しようとする課題】
しかし、現状では配筋及び鉄筋の位置確保に至る作業の際、スペーサー（１３）や幅止め筋（１４）の入れ忘れがあったり、固定が不十分などで、コンクリート打設時の衝撃等により抜け落ちたり、ずれたりし、コンクリートのかぶり厚さ（Ｓ）が適正に確保されず鉄筋がコンクリートの表面に出てしまう事が多々あった、又、コンクリート打設の際スペーサー（１３）や幅止め筋（１４）がコンクリートの流動を阻害し、ジャンカ（空洞）ができるなど問題点が多かった。又従来のセパレーター（１）は型枠を固定するための六角ナット（８）を現場で大工さんが取り付けていた、そのため現場での作業効率が悪く大変であった。
【０００４】
本発明の目的は、スペーサー（１３）や幅止め筋（１４）を一切使用せず配筋が容易でコンクリートのかぶり厚（Ｓ）が確保出来、かつ、コンクリートの流動が良くジヤンカが出来にくい構成にした、さらに現場での作業の効率化をはかった、簡易セパレーター（２）による配筋構造を提供することにある。
【０００５】
【課題を解決するための手段】
上記の課題を解決するために、本発明の簡易セパレーター（２）による配筋構造は、セパレーターのかぶり厚寸法部分、たといば（３０ｍ，４０ｍ，４５ｍ，）の位置に、凹型の溝（ａ，ｂ）をつけ、その溝を起点として内側（中心）に鉄筋（７）を結束線（９）で結束し固定する事により、幅止め筋（１４）及びスペーサー（１３）を使用しなくとも、コンクリートのかぶり厚（Ｓ）を確保出来る。さらにセパレーター（２）のネジ奥に顎（５）を付ける事に依り六角ナット（３）を使用しなくとも型枠（１０、１０′）を固定出来るようにした。即ち、型枠工事では六角ナツト（３）が不要となり、配筋工事では鉄筋を簡易セパレーター（２）に結束する事で鉄筋の位置確保が出来る。
【０００６】
【発明の実施の形態】
さらに上記構成によれば、簡易セパレーター（２）に鉄筋（７）を固定するので、正確な配筋が効率良く出来、適正なかぶり厚（Ｓ）が確保できる。又、幅止め筋（１４）やスペーサー（１３）を使用しないのでコンクリートの流動を阻害するものが少なく、コンクリート建物の質の向上が望める、さらに六角ナット（３）を使用しないので現場での作業効率の向上がはかれる。
【０００７】
【実施例】
さらに図５に示した実施例により詳細に説明する。図中（２）が両側の型枠（１０、１０′）の間隔を固定する「簡易セパレーター」である、その軸部のかぶり厚寸法部分に凹（ａ，ｂ）を形成し、もって簡易セパレーター（２）が構成されている。この簡易セパレーター（２）を使用した型枠組み立て及び鉄筋組み立ての作業手順は、図５の内型枠（１０）を建込み、簡易セパレーター（２）の取り付けを行う、型枠（１０）の外側からフォームタイ（１１）をねじ込み取り付ける、つづいて鉄筋の組み立てを行う、まず横筋（７）を簡易セパレーター（２）の凹部に結束線（９）をかけ横筋（７）を結束し固定する、次に縦筋（８）を横筋（７）に結束線（９）によって結束する事で鉄筋は強固に固定れる、しかる後に外型枠（１０｀）をフォームタイ（１１）の締めつけによって建込む、したがって、横筋（７）を簡易セパレーター（２）に結束するたけで鉄筋の位置は正確に固定されコンクリートかぶり厚寸法（Ｓ）が確保される、従来のごとく位置がずれるようなことは決してない。さらにネジ奥に顎を付けたので六角ナット（３）を現場でねじ込む必要がないので作業効率がよい。
【０００８】
【発明の効果】
以上の説明によって明らかな様に、本発明の簡易セパレーター（２）を使用すれば横筋（７）の結束と同時にコンクリートのかぶり厚寸法（Ｓ）が正確に確保されるので、従来使用していた、幅止め筋（１４）、スペーサー（１３）が不要となる、その結果型枠内の障害物が少なくなり、コンクリート打設の際コンクリートの流動がよくジャンカなどが出来にくい、さらに、スペーサー（１３）を使用しないので、スペーサー（プラステック）とコンクリートの肌別れによる建物のひび割れを防止できる、即ち、建物品位の確保向上及びコストダウンが期待できる。
【図面の簡単な説明】
【図１】従来の丸鋼型セパレーター
【図２】本発明の簡易セパレーター
【図３】本発明の簡易セパレーターに（９ｍｍ，１０ｍｍ）の鉄筋を取り付けた図
【図４】本発明の簡易セパレーターの断面図
【図５】本発明の簡易セパレーターによる配筋構造の主要な工程を示した図
【図６】従来の配筋構造を示した側面図
【符号の説明】
１    従来のセパレーター            １０    内型枠
２    簡易セパレーター              １０｀  外型枠
３    六角ナット                    １１    フォムタイ
４    フォームタイ取り付けネジ      １２    パイプ
５    顎                            １３    スペーサー
６    突起                          １４    幅止め筋
７    横筋                          ａ      Ｗ鉄筋用凹部
８    立て筋                        ｂ      一枚鉄筋用凹部
９    結束線                        ｓ      コンクリートかぶり厚寸法部
【図１】
2004257212.tif 000003
【図２】
2004257212.tif 000004
【図３】
2004257212.tif 000005
【図４】
2004257212.tif 000006
【図５】
2004257212.tif 000007
【図６】
2004257212.tif 000008